(57)【要約】表示制御ユニット（２０）は、画素の第１のセット（２６）および第２のセット（２８）を含む入力画像（２４）を表す入力画像データを受信するように接続可能な入力（２２）を備える。画素の第２のセットは安全関連情報を含む。また、表示制御ユニットは、少なくとも安全関連情報を含む出力画像（３２）を表す出力画像データを提供するように接続可能な出力（３０）と、安全モード信号（３６）が第１のモードを示すときに画素の第１のセットに対して画像向上処理を実行するように構成される画像向上モジュール（３４）と、安全モード信号が第２のモードを示すときに画素の第２のセットに対して検証処理を実行するように構成される検証モジュール（３８）とを備える。
2013539062.tif 000002
【特許請求の範囲】
【請求項１】
表示制御ユニット（２０）であって、
画素の第１のセット（２６）および第２のセット（２８）を含む入力画像（２４）を示す入力画像データを受信するように接続可能な入力（２２）であって、前記画素の第２のセットは安全関連情報を含む、前記入力（２２）と、
少なくとも前記安全関連情報を含む出力画像（３２）を示す出力画像データを供給するように接続可能な出力（３０）と、
安全モード信号（３６）が第１のモードを示すときに前記画素の第１のセットに対して画像向上処理を実行するように構成される画像向上モジュール（３４）と、
前記安全モード信号が第２のモードを示すときに前記画素の第２のセットに対して検証処理を実行するように構成される検証モジュール（３８）とを備える、表示制御ユニット。
【請求項２】
前記画像向上モジュールおよび前記検証モジュールに接続され、且つ前記安全モード信号を提供するように構成される安全モード制御モジュール（４０）を備える、請求項１に記載の表示制御ユニット。
【請求項３】
前記表示制御ユニットは、前記画素の第２のセットを、前記出力に接続可能なディスプレイ（１６）の１つまたは複数の特定の区画に提供するように適合され、該１つまたは複数の区画はセーフティクリティカル情報を表示ように設けられる、請求項１または請求項２に記載の表示制御ユニット。
【請求項４】
前記画像向上モジュールは、ノイズ信号を前記画素の第１のセットに適用するように構成される、請求項１〜３のいずれか一項に記載の表示制御ユニット。
【請求項５】
前記画像向上モジュールは、前記画素の第１のセットをディザリングするように構成される、請求項１〜４のいずれか一項に記載の表示制御ユニット。
【請求項６】
前記ディザリングは、前記画素の第１のセットの時間ディザリングを含む、請求項５に記載の表示制御ユニット。
【請求項７】
画像シーケンスを出力するように構成される、請求項１〜６のいずれか一項に記載の表示制御ユニット。
【請求項８】
前記画像向上処理は、前記第１のセットの１つまたは複数の画素に少なくとも１つのランダムな値を加算することを含む、請求項１〜７のいずれか一項に記載の表示制御ユニット。
【請求項９】
前記検証モジュールは、前記画素の第２のセットを基準セットと比較するように構成される、請求項１〜８のいずれか一項に記載の表示制御ユニット。
【請求項１０】
前記検証モジュールは、前記第２のセットに対するチェックサムを計算するとともに、該チェックサムを基準チェックサムと比較するように構成される、請求項９に記載の表示制御ユニット。
【請求項１１】
前記出力画像データの量子化ステップの数は前記入力画像データの量子化ステップ数よりも少ない、請求項１〜１０のいずれか一項に記載の表示制御ユニット。
【請求項１２】
前記入力画像データは複数の画像層を含み、前記制御ユニットは、前記複数の層から画像を構成する融合モジュール（３３）を備える、請求項１〜１１のいずれか一項に記載の表示制御ユニット。
【請求項１３】
前記表示制御ユニットは単一の集積回路ダイ上に組み込まれる、請求項１〜１２のいずれか一項に記載の表示制御ユニット。
【請求項１４】
画像表示システムであって、
前記出力画像データを受信するように接続されるとともに、人間にとって知覚可能な形態において画像を出力するように構成されるディスプレイ（１６）と、
前記入力画像データを提供するように接続される少なくとも１つの画像データソース（１８）と、
請求項１〜１３に記載の表示制御ユニット（２０）とを備える、画像表示システム。
【請求項１５】
画像データを出力するための方法であって、
画素の第１のセットおよび画素の第２のセットを含む入力画像を示す入力画像データを受信すること（８０）であって、前記画素の第２のセットは安全関連情報を含む、前記受信すること（８０）、
安全モード信号を受信すること（８２）、
前記安全モード信号が第１のモードを示すときは前記第１のセットに対する画像向上処理を実行すること（８４）、
前記安全モード信号が第２のモードを示すときは前記第２のセットに対する検証処理を実行すること（８６）、
少なくとも前記画素の第２のセットを含む出力画像を表す出力画像データを提供すること（８８）を備える、方法。
【発明の詳細な説明】
【技術分野】
【０００１】
本発明は、表示制御ユニット、画像表示システムおよび画像データを出力するための方法に関する。
【背景技術】
【０００２】
情報システムおよびエンタテインメントシステムならびに消費者エンタテインメントデバイスは、ユーザに高品質の画像またはビデオを提供するために高度なグラフィック方式を採用している場合がある。
【０００３】
現在、それらのシステムは、複数の視覚情報源が利用可能である環境にとって利用可能である。たとえば、車両内で、ディスプレイは、エンタテインメント、ビデオもしくはナビゲーション情報または任意の他の安全に関係しない情報と、たとえば、車両速度およびエンジン温度のような安全に関係する情報の両方を同時に提供するように用いられる場合がある。
【０００４】
特にデジタル画像データを処理するときに、表示されることになる画像データに画像向上方法を適用して、画質を向上させ、ノイズまたはエラーの可視性を低減することができる。同じまたは同様の向上方法が使用されて、同じ表示品位を有するが、色解像度または信号対ノイズ比のような、品質パラメータ値が低減されたものしか提供できないディスプレイまたは画面上に表示される画像を提供する場合がある。色解像度が低減されていることによって、特に、わずかな色の変化が表示されるとき、たとえば画像勾配を表示するときに、光学的結果が準最適なものになってしまう場合がある。
【０００５】
たとえば、時間ディザリングは、ディスプレイによってサポートされる最大色解像度よりも高い色解像度をエミュレートするための技法である。時間ディザリングを使用することによって、同じディスプレイを使用してわずかな追加のコストだけでより良好な主観の光学的結果を達成することが可能になる。たとえば車両内使用に利用可能な、薄膜トランジスタ（ＴＦＴ）ディスプレイのような液晶ディスプレイ（ＬＣＤ）、たとえば、低コストＲＧＢ６６６カラーＴＦＴディスプレイは、色成分あたり６ビット以下の色解像度を有することが多く、これは人間の眼の色解像度を下回る。
【０００６】
画素またはピクチャエレメント（ピクセル）の色値は通常、最高確度で計算され、これはたとえば８ビットであり得、表示コントローラの出力において、画素またはその色成分の最下位ビットを単純に切り捨て、それによって、さらなる量子化誤差が生じ、これは表示される画像内に見えるようになり得る。ディザリングは、量子化誤差を拡散させることを可能にすることができ、それゆえ、カラーＴＦＴスクリーンのようなディスプレイ上の、光学的により良好な結果を可能にすることができる。
【０００７】
図１を参照すると、時間Ｔにわたる、すなわち、一連の画像におけるピクセル色成分の値Ｖの時間ディザリングの一例の図が概略的に示されている。図示されている例では、実際の８ビット値１２７（１０）＝０×７Ｆ（１６）は、２ビットが切り捨てられることによって精度が低減され、１２４（１０）＝０ｘ７Ｃ（１６）が与えられる。時間ディザリングは残りのビットを単純に切り捨てるのではなく、０以上１未満のランダムな値を加算し、その平均値は約０．５である。図１に図示されているように、これは、出力値１２７の交番（ａｌｔｅｒｎａｔｉｏｎ）１０をもたらし、或る特定のピクセルに対して時間Ｔにわたる平均値１２として理想的な８ビット値が与えられる。
【０００８】
他方、安全に関係する情報は、セーフティクリティカル情報の完全性を保証するために設定される他の表示システムを使用して表示される。
国際公開第２００９／１４１６８４号パンフレットには、ピクセルデータを基準と比較することによってその正確さをチェックするように適合される表示コントローラが開示されている。これは、ディスプレイに送信されるデータ上の周期的冗長検査（ＣＲＣ）値を計算すること、および、それらを基準値と比較することによって達成される。
【図面の簡単な説明】
【０００９】
【図１】経時的なピクセル色成分の値の従来技術による時間ディザリングの一例を概略的に示す図である。
【図２】表示制御ユニットの一実施形態の例を備える画像表示システムの一実施形態の例を概略的に示す図である。
【図３】表示制御ユニットの一実施形態による画像向上モジュールの一実施形態の例を概略的に示す図である。
【図４】画像データを出力するための方法の一実施形態の例を概略的に示す図である。
【発明を実施するための形態】
【００１０】
本発明は、添付の特許請求の範囲に記載されているものとしての、表示制御ユニット、画像表示システムおよび画像データを出力するための方法を提供する。
本発明の具体的な実施形態は従属請求項に記載されている。
【００１１】
本発明のこれらの態様および他の態様は、以下に記載される実施形態から明らかとなり、それらを参照することによって明瞭になろう。
本発明のさらなる詳細、態様、および実施形態を、例としてのみ、図面を参照して記載する。図面において、同様の参照符号は同様のまたは機能的に類似の要素を特定するために使用される。図面内の要素は簡潔かつ明瞭にするために示されており、必ずしも原寸に比例して描かれてはいない。
【００１２】
本発明の例示されている実施形態は、大部分について、当業者に既知の電子コンポーネントおよび回路を使用して具体化され得るため、本発明の基礎となる概念の理解および評価のために、ならびに本発明の教示を分かりにくくせず当該教示から注意を逸らさせないために、詳細は例示されているような必要と考えられる範囲を超えては説明されない。
【００１３】
図２を参照すると、表示制御ユニット２０の一実施形態の例を備える画像表示システム１４の一実施形態の例が概略的に示されている。画像表示システム１４は、出力画像データを受信するように接続されるとともに、人間にとって知覚可能な形態において画像を出力するように構成されるディスプレイ１６と、入力画像データを供給するように接続される少なくとも１つの画像データソース１８と、下記の例示的な実施形態によって説明されるものとしての表示制御ユニット２０とを備えることができる。表示制御ユニット２０は、供給されるアドレスに対応する画像データを要求するために、画像データソースにアドレス信号２３を供給するように構成されることができる。
【００１４】
ディスプレイ１６は、たとえば、ＬＣＤ、ＴＦＴもしくはプラズマディスプレイもしくは有機発光ダイオード（ＯＬＥＤ）ディスプレイまたは陰極線管（ＣＲＴ）モニタの画面のような、画像または画像シーケンスを人間にとって知覚可能な形態において示すように構成される任意の表示デバイスまたは画面であることができる。
【００１５】
画像データソース１８は、たとえば、表示画面１６上に表示されると、セーフティクリティカル情報を伝達するための画像を備えるメモリデバイスであることができる。または、画像データソースは、たとえば、ナビゲーションデータ、ビデオ、またはさらには、監視カメラのようなカメラによって提供されるライブ画像シーケンスのような、セーフティクリティカルでない情報を保持するメモリまたはキャッシュであってもよい。または、画像データソースはたとえば、それら両方の組み合わせであってもよい。
【００１６】
いくつかの実施形態では、画像表示システムは、異なる複数の画像データを表示するための、または同じ画像データを同時に表示するための、２つ以上のディスプレイを備えてもよい。
【００１７】
画像表示システム１４は１つの装置内に含まれることができ、システムのユーザは、安全に関係しない情報とセーフティクリティカル情報とをたとえば同時に知覚するために同じディスプレイを使用する。装置はたとえば、乗用車、トラック、飛行機、ヘリコプタ、列車または船舶のような車両であることができる。または、装置は、たとえば、視覚インターフェースをユーザに提供するためのディスプレイを有する、産業または医療用途のための任意の機械の一部であることができ、機械の故障または機能不全が、たとえばユーザまたは機械にとってセーフティクリティカル状況をもたらし得る。
【００１８】
一例として、車両に関連する、安全に関係する、またはセーフティクリティカル情報は、車両の任意のセーフティクリティカルシステムのユーザに提供される、現在の速度、ヘッドランプ制御もしくはエンジン温度のような任意の情報、または任意のステータス情報であることができる。車両のセーフティクリティカルシステムは、座席位置制御システム、照明、ワイパー、イモビライザ、ブレーキシステムまたは電動操舵システムを含むことができる。ブレーキシステムは、たとえば、アンチロック・ブレーキ・システム（ＡＢＳ）または電子制御制動力配分システム（ＥＢＤ）を含むことができる。電動操舵システムは、たとえば、ほんのいくつか例を挙げると、電子安定性制御システム（ＥＳＣ）、牽引制御システム（ＴＣＳ）または駆動輪空転防止システム（ＡＳＲ）、適応走行制御（ＡＣＣ）システム、前方衝突警報（ＦＣＷ）システムを含むことができる。
【００１９】
表示制御ユニット２０は、画素の第１のセット２６および第２のセット２８を含む入力画像２４を表す入力画像データを受信するように接続可能な入力２２を備えることができ、画素の第２のセット２８は安全関連情報を含む。また、表示制御ユニット２０は、少なくとも安全関連情報を含む出力画像３２を表す出力画像データを提供するように接続可能な出力３０と、安全モード信号３６が第１のモードを示すときに画素の第１のセット２６に対して画像向上処理を実行するように構成される画像向上モジュール３４と、安全モード信号３６が第２のモードを示すときに画素の第２のセット２８に対して検証処理を実行するように構成される検証モジュール３８とを備えることができる。第２のモードおよび第１のモードは同じモードでなく、すなわち、安全モード信号は同時に第１のモードおよび第２のモードにない。
【００２０】
画素の第１のセット２６および第２のセット２８は、１つまたは２つ以上の画素を含むことができる。ピクセル、すなわち、ピクチャエレメントを表示することに基づく表示画面について、画素はピクチャエレメントに対応することができる。別の実施形態では、画素の第２のセット２８は、通常動作中、すなわち、表示されるべき安全関連情報がないときには画素を含まなくてもよい。さらに別の形態では、画素の第１のセット２６は、表示画面１６全体にわたって警報メッセージが表示されているときには画素を含まなくてもよい。また、表示制御ユニット２０の一実施形態では、ユニットは、現在表示されている安全関連情報に応じて、上述のいくつかまたはすべての実施形態にしたがって動作するように構成されてもよい。
【００２１】
少なくとも２つのレベルを含むか、または少なくとも第１のモードおよび第２のモードをシグナリングするように適合され得る安全モード信号は、第１のまたは向上品質モードにあるとき、現在処理されている画素の値が画像向上処理中に変更されることが可能になり得ること、および、第２のまたは安全モードにあるとき、現在処理されている画素の値が、安全関連情報の表示に関連するものと仮定して保護され得ることを示し得る。
【００２２】
安全モード信号３６は、たとえば、外部制御ユニットによって提供されてもよく、または、別の実施形態では、入力画像データストリーム内に符号化されてもよい。または、表示制御ユニット２０は、画像向上モジュール３４および検証モジュール３８に接続され、且つ安全モード信号３６を提供するように構成される安全モード制御モジュール４０を備えることができる。これは、たとえば、図示されている表示コントローラユニットの単一チップのソリューションを可能にすることができる。または、一実施形態では、表示制御ユニットは、ＴＦＴディスプレイ内部の制御ユニットもしくはその一部であってもよく、または、表示制御ユニットの機能は、外部コントローラと、表示デバイス内部のＴＦＴコントローラとの間で分割されてもよい。ＴＦＴディスプレイの代わりに、または付加的に、他の表示デバイスおよび対応するコントローラが使用されてもよい。
【００２３】
一実施形態では、表示制御ユニット２０は、画素の第２のセット２８を、出力３０に接続可能なディスプレイ１６の特定の区画であり、セーフティクリティカル情報の表示専用の区画に提供するように適合されることができ、すなわち、現在処理されている画素が安全関連情報を含むか否かにかかわらず、ディスプレイ１６の一区画がセーフティクリティカル情報を表示するために選択されることができ、画素の第２のセット２８がディスプレイ１６のターゲット出力エリアによって決定されることができる。表示画面１６の特定の区画はセーフティクリティカルであると宣言されることができ、影響を受ける画素は保護されているものとして表示制御ユニット２０によってマークされることができ、これによって、画像向上処理によるいかなる値の変化も防止される。これは、たとえば、位置情報信号４２を検証モジュール３８に容易に提供して、いずれの画素を検証処理に含めるかを制御することも可能にする。
【００２４】
たとえば、エッジの平滑化、色分布の平衡、最大誤差の検出などのための多くの画像向上方法が既知である。示されている画像向上モジュールは、ノイズ信号を画素の第１のセット２６に適用するように構成され得る。それに対して、これによって、たとえば、信号対ノイズ比のような信号品質を決定するためのパラメータ値さえも低減される場合があり、ノイズは、たとえば、デジタル画素の表示される量子化値の高量子化誤差に関係するピクセル誤差またはエッジのようなアーチファクトを隠すことを可能にし得るため、ノイズは表示される画像が主観的により肯定的に知覚されることを可能にし得る。
【００２５】
画像向上モジュール３４は、たとえば、画素の第１のセット２６をディザリングするように構成され得る。ディザリングは、量子化誤差をランダム化するために使用される意図的に適用される形態のノイズである。ディザリングは、ディザリングされるべき要素を取り囲む画素に対して空間的に適用され得る。または、ディザリングは、画素の第１のセット２６の時間ディザリングを含むことができる。ディザリングによって、データのグラフィックコンテンツにおいて利用可能なより高い色解像度に応じて、たとえば、色解像度が制限されているＴＦＴディスプレイのようなディスプレイ上でより高い色解像度をエミュレートすることが可能になり得る。その結果、これは解像度が制限されているディスプレイ上でエミュレートされ得る。
【００２６】
表示制御ユニットは、ビデオフレームまたはグラフィックアニメーションのような画像シーケンスを出力するように構成されることができる。
図３を参照すると、表示制御ユニット２０の一実施形態による画像向上モジュール３４の一実施形態の例が概略的に示されている。ブロック図は、時間ディザリング操作および安全モード信号３６の適用における機能ブロックを示す。時間ディザリングは、ディスプレイによってサポートされる色解像度よりも高い色解像度をエミュレートすることを可能にする。ディザリングは、ディスプレイに送信される経時的な画素の強度値を変更することによって行われる。人間の眼によって行われる平均化によって、このような交番ピクセルの強度が、２つのサポートされる強度値の間の中間の値として知覚され得る。図示されている例において、たとえば８ビットのビット深度を有する３つの色成分を備える入力画素が、Ｒ［７：０］（赤）４４、Ｇ［７：０］（緑）４６およびＢ［７：０］（青）４８のための入力チャネル４４、４６、４８によって受信され得る。乱数発生器（ＲＮＧ）デバイス５０、５２、５４の各々が、たとえば、最大３ビット長の乱数または疑似乱数を生成し、これはその後、受信する画素またはピクセルの成分に加算され得る。しかしながら、安全モード信号３６が第２のモードにある、すなわちイネーブルまたはアサートされる場合、ＲＮＧデバイス５０、５２、５４によって生成されるビット数は０であり、それによって、画像向上ユニット３４のディザリングはディセーブルされる。安全モード信号３６が第２のモードにある、すなわち、安全モードがアクティブであるか、または図示されている画像向上モジュール３４が、それがインターフェースするディスプレイに応じて受信する画素もしくはピクセルに対してディザリングを実行し得るかのいずれかであるとき、図示されている画像向上モジュール３４は、入力画素を表す入力データと同じである、３つの色成分５６、５８、６０を有する出力画素を表す出力データを提供することができる。
【００２７】
図３に示されているように、画像向上モジュール３４は、たとえば、各色成分に加算されるビット数を選択することを可能にする構成レジスタ６２、６４、６６に接続されることができる。レジスタはたとえば、色成分当たり２ビットの６ビット幅であることができる。これによって、０〜３ビット数を３つの色成分の各々に加算することが可能になり得る。この設定は、付着されるディスプレイの色解像度を反映するように適切に行われることができる。一般的な設定は、たとえば、（８−（ディスプレイの色ビット数））であることができる。構成レジスタ６２、６４、６６の初期値はたとえば、０ｘ００（１６進数）であることができ、それによって、画像向上モジュール３４、すなわちディザリングブロックが事実上ディセーブルされる。
【００２８】
画像向上処理は、少なくとも１つのランダムな値を第１のセットの１つまたは複数の画素に加算することを含むことができる。画素当たりのランダムな値の数は画像のタイプに応じて决まり得る。たとえば、グレースケール画像は１つのランダムな値を受け取ることができ、ＲＧＢまたはＹＵＶ画像のような３成分色画像は、画素当たり３つのランダムな値を受け取ることができる。図３に示されている例では、各ＲＮＧデバイス５０、５２、５４が最大３ビットの乱数を提供することができる。提供されるビットは３ビット値出力６８、７０、７２の最下位ビット（ＬＳＢビット）にシフトされることができる。実際に提供されるビット数は、構成レジスタ６２、６４、６６によって提供される値によって選択され得る。外部安全モード信号が第２のモードにおいて提供される、すなわちアクティブである場合、ＲＮＧによって生成されるビット数は０である。これによって、セーフティクリティカルなピクセルの、入力チャネル４４、４６、４８に適用されるときの時間ディザリングがディセーブルされ得る。
【００２９】
ＲＮＧデバイス５０、５２、５４は、０．５の平均値を有し得る、０．５境界を中心として対称に分布する真の乱数または疑似乱数を提供することができる。ＲＮＧの周期性は、画像フレーム当たりに必要とされるランダムビット数よりも大幅に高いものであり得る。乱数の分布はたとえば、ガウスまたは白色雑音であることができる。一例として、ＲＮＧデバイスの具体化は、線形フィードバックシフトレジスタ（ＬＦＳＲ）の使用を含むことができ、一実施形態では、すべての３つのＲＮＧデバイス５０、５２、５４に対して１つのＬＦＳＲで十分であり得る。
【００３０】
その結果、図示されている加算・クランプブロックまたは回路７４、７６、７８は各々、たとえば、入力チャネル４４、４６、４８を介して受信される８ビット数および３ビット値出力６８、７０、７２を通じて受信される３ビット数を加算するように構成されることができる。加算の後、値は０〜２５５の範囲にクランプされることができる。数は符号なし数値である。一実施形態では、画像向上モジュール３４は、安全に関係しないディザリングされた画素に対してガンマ補正を実行するように適合されるガンマ補正ユニット（図示せず）を備えることができる。
【００３１】
チャネル４４、４６、４８上で受信された入力画素に乱数を加算することによって、出力チャネル５６、５８、６０上で提供される出力画素は非決定性（noｎ-deterministic）になっている。図２に戻って参照して、検証モジュール３８は、画素の第２のセット２８を基準セットと比較するように構成されることができる。表示される安全に関係する画素の完全性を保証するために信頼性のある比較結果を達成するためには、検証モジュール３８に供給される安全に関係する画素は、ランダムな成分を含まないものであり得る。
【００３２】
検証モジュール３８は、第２のセットに対するチェックサムを計算するとともに、そのチェックサムを基準チェックサムと比較するように構成されることができ、これはたとえば、オフラインで計算されることができる。
【００３３】
たとえばピクセルごとの安全モード信号３６の印加によって、安全関連情報を含む画素のランダムな値が加算されることからの保護が可能になるため、時間ディザリングは、安全関連情報もディスプレイ上で提示される用途において適用されることができ、これは、安全に関係しないピクセルのみにわたって画像向上処理を実行しながら、チェックサムをオフラインで計算される基準と比較する前に安全関連ピクセルにわたってチェックサムが計算されることができるためである。
【００３４】
これによって、たとえば、実際に利用可能な入力ビット深度よりも低いビット深度を提供し得るより安価な表示画面を使用しながら、ユーザに向上した画質を提供することが可能になり得、すなわち、同時に同じ表示デバイス上に表示される安全関連情報の完全性を依然として保証することが可能でありながら、出力画像データの量子化ステップの数が入力画像データの量子化ステップ数よりも少ないものであり得る。たとえば、セーフティクリティカル情報に対しては時間ディザリングをディセーブルすることによって、より安価なＲＧＢ６６６ディスプレイを使用することによって、ユーザが、高レベルのグラフィック品質およびセーフティクリティカル情報の完全性を維持しながらシステムコストを低減することが可能になり得る。
【００３５】
入力画像はたとえば、単一層画像であることができる。または、入力画像データは複数の画像層を含んでもよく、制御ユニット２０は、複数の層から画像を構成するための混合または融合モジュール３３を備えることができる。図２に示されているように、入力画像はたとえば、２つずつの３種類の異なる破線の矢印によって示されている２つの層を含むことができ、３種類の異なる矢印は３つの成分、たとえば、ＲＧＢ色画像に対応し得る。層を融合して（３つの矢印によって示される）単一の画像にすることは、画像向上および検証の前に実行されることができ、これによって、ランダム化画像向上を受けている場合がある安全に関係しない情報で検証された安全関連情報を続いてカバーすることが回避される。または、安全モードを適用することによって、他の層における設定およびピクセル操作アルゴリズムにかかわらずディスプレイ上で安全層のコンテンツが見えることが確実になり得る。
【００３６】
表示制御ユニットはたとえば、低コストで大量に製造されることができる単一の集積回路ダイ上に組み込まれることができ、または、たとえば、既存の表示コントローラ集積回路に組み込まれることができる。
【００３７】
ここで図４を参照すると、画像データを出力するための方法の図が概略的に示されている。示されている方法は、記載されている表示制御ユニットの利点および特性を、画像データを出力するための方法の一部として具体化することを可能にする。画像データを出力するための方法は、画素の第１のセットおよび画素の第２のセットを含む入力画像を表す入力画像データを受信すること（８０）であって、画素の第２のセットは安全関連情報を含む、受信すること（８０）、安全モード信号を受信すること（８２）、安全モード信号が第１のモードを示すときは第１のセットに対する画像向上処理を実行すること（８４）、安全モード信号が第２のモードを示すときは第２のセットに対する検証処理を実行すること（８６）、少なくとも画素の第２のセットを含む出力画像を表す出力画像データを提供すること（８８）を含むことができる。
【００３８】
画像向上処理を実行すること（８４）は、たとえば、画素の第１のセットにノイズ信号またはディザリングを適用することを含むことができる。
また、コンピュータプログラム製品は、プログラム可能な装置上で実行すると、表示制御ユニットの部分を具体化するための、または上述のような方法のコード部分を実行するためのコード部分を備えることができる。一実施形態では、部分（ｐａｒｔｓ）という用語はすべての部分を指してもよい。本発明は、少なくとも、コンピュータシステムのようなプログラム可能な装置上で実行されるときに本発明による方法のステップを実行するか、または、プログラム可能な装置が本発明によるデバイスもしくはシステムの機能を実行することを可能にするためのコード部分を含む、コンピュータシステムを作動させるためのコンピュータプログラムにおいて具体化されることもできる。
【００３９】
コンピュータプログラムは、特定のアプリケーションプログラムおよび／またはオペレーティングシステムのような、命令のリストである。コンピュータプログラムはたとえば、サブルーチン、関数、プロシージャ、オブジェクトメソッド、オブジェクトインプリメンテーション、実行可能アプリケーション、アプレット、サーブレット、ソースコード、オブジェクトコード、共有ライブラリ／動的ロードライブラリ、および／または、コンピュータシステム上での実行のために設計される他の一連の命令のうちの１つまたは複数を含むことができる。
【００４０】
コンピュータプログラムはコンピュータ可読記憶媒体上に内部的に記憶されるか、またはコンピュータ可読伝送媒体を介してコンピュータシステムに送信されることができる。コンピュータプログラムのすべてまたはいくつかは、情報処理システムに永続的に、取り外し可能に、または遠隔的に結合されるコンピュータ可読媒体上で提供されることができる。コンピュータ可読媒体はたとえば、限定されることなく、いくつか例を挙げると、ディスクおよびテープ記憶媒体を含む磁気記憶媒体、コンパクトディスク媒体（たとえば、ＣＤ−ＲＯＭ、ＣＤ−Ｒなど）およびデジタルビデオディスク記憶媒体を含む光記憶媒体、ＦＬＡＳＨメモリ、ＥＥＰＲＯＭ、ＥＰＲＯＭ、ＲＯＭのような半導体ベースのメモリユニットを含む不揮発性メモリ記憶媒体、強磁性デジタルメモリ、ＭＲＡＭ、レジスタ、バッファまたはキャッシュ、メインメモリ、ＲＡＭなどを含む揮発性記憶媒体、ならびにコンピュータネットワーク、ポイントツーポイント遠隔通信機器、および搬送波伝送媒体を含むデータ伝送媒体のうちの任意の数を含むことができる。
【００４１】
コンピュータプロセスは通常、実行している（作動している）プログラムまたはプログラムの一部、現在のプログラム値および状態情報、ならびにプロセスの実行を管理するためにオペレーティングシステムによって使用されるリソースを含む。オペレーティングシステム（ＯＳ）は、コンピュータのリソースの共有を管理するとともにプログラマにこれらのリソースにアクセスするために使用されるインターフェースを提供するソフトウェアである。オペレーティングシステムは、システムデータおよびユーザ入力を処理して、タスクおよび内部システムリソースをシステムのユーザおよびプログラムに対するサービスとして配分および管理することによって応答する。
【００４２】
コンピュータシステムはたとえば、少なくとも１つの処理装置、関連付けられるメモリ、および多数の入出力（Ｉ／Ｏ）デバイスを含むことができる。コンピュータプログラムを実行するとき、コンピュータシステムはコンピュータプログラムにしたがって情報を処理して、結果としての出力情報をＩ／Ｏデバイスを介して生成する。
【００４３】
上記の明細書において、本発明が本発明の実施形態の具体例を参照して説明された。しかしながら、添付の特許請求の範囲に記載されている本発明のより広い精神および範囲から逸脱することなく、そこにさまざまな修正および変更を行うことができることは明らかであろう。
【００４４】
本明細書において説明されているような接続は、たとえば介在するデバイスを介してそれぞれのノード、ユニットまたデバイスから、またはそれらへと信号を転送するのに適切な任意のタイプの接続であることができる。したがって、別途暗示または提示されていない限り、接続はたとえば直接接続であってもよいし、間接接続であってもよい。接続は、単一の接続、複数の接続、一方向性接続、または双方向性接続であることに関連して例示または記載され得る。しかしながら、実施形態が異なれば、接続の実施態様は変化してもよい。たとえば、双方向性接続ではなく別個の一方向性接続が使用されてもよく、その逆であってもよい。さらに、複数の接続が、連続してまたは時分割多重方式で複数の信号を伝送する単一の接続と置き換わってもよい。同様に、複数の信号を搬送する単一の接続が、これらの信号のサブセットを搬送するさまざまな異なる接続に分離されてもよい。それゆえ、信号の伝送には多くの選択肢が存在する。
【００４５】
本明細書において記載されている各信号は正または負の論理として設計され得る。負論理信号の場合、信号は、論理的真状態が論理レベル０に対応するアクティブ・ローである。正論理信号の場合、信号は、論理的真状態が論理レベル１に対応するアクティブ・ハイである。本明細書に記載される信号はいずれも負または正論理信号のいずれかとして設計されることができることに留意されたい。それゆえ、代替の実施形態では、正論理信号として記載される信号は、負論理信号として具体化されてもよく、負論理信号として記載される信号は、正論理信号として具体化されてもよい。
【００４６】
さらに、「アサート」または「セット」および「ネゲート」（または「アサート停止」もしくは「クリア」）という用語は、本明細書においては、信号、ステータスビット、または類似の装置をそれぞれ、その論理的に真または論理的に偽の状態にレンダリングすることを指す場合に使用される。論理的に真の状態が論理レベル１である場合、論理的に偽の状態は論理レベル０である。そして、論理的に真の状態が論理レベル０である場合、論理的に偽の状態は論理レベル１である。
【００４７】
論理ブロック間の境界は例示にすぎないこと、および、代替的な実施形態は、論理ブロックもしくは回路要素を統合し、またはさまざまな論理ブロックもしくは回路要素に対する代替的な機能の分解を課してもよいことを、当業者は認識しよう。したがって、本明細書において描写したアーキテクチャは例示にすぎないこと、および、事実、同じ機能を達成する多くの他のアーキテクチャを具体化することができることは理解されたい。たとえば、画像向上モジュール３４および検証モジュール３８は単一のモジュールとして具体化されてもよく、別個のモジュールとして具体化されてもよい。
【００４８】
同じ機能を達成するための構成要素の任意の構成が、所望の機能が達成されるように効果的に「関連付けられる」。したがって、本明細書における、特定の機能を達成するために結合される任意の２つの構成要素は互いに「関連付けられる」とみなすことができ、それによって、中間の構成要素またはアーキテクチャにかかわりなく、所望の機能が達成される。同様に、そのように関連付けられる任意の２つの構成要素も、所望の機能を達成するために互いに「動作可能に接続されている」または「動作可能に結合されている」とみなすことができる。
【００４９】
さらに、上述の動作間の境界は例示にすぎないことを当業者は認識しよう。複数の動作を単一の動作に組み合わせ、単一の動作を追加の動作に分散させ、複数の動作を少なくとも部分的に時間的に重ね合わせて実行することができる。その上、代替的な実施形態は、特定の動作の複数のインスタンスを含んでもよく、動作の順序はさまざまな他の実施形態においては変更してもよい。
【００５０】
さらに例として、１つの実施形態では、例示される実施例は、単一の集積回路上または同じデバイス内に位置する回路として具体化されることができる。たとえば、表示制御ユニット２０は単一の集積回路として具体化されることができる。代替的には、実施例は、適切な様式で互いに相互接続される任意の数の別個の集積回路または別個のデバイスとして具体化されてもよい。たとえば、表示制御ユニット２０のモジュールは別個のデバイスとして具体化されることができる。
【００５１】
さらに例として、実施例、またはその一部は、任意の適切なタイプのハードウェア記述言語などによって、実回線または実回線に転換可能な論理表現のソフトまたはコード表現として具体化されることができる。
【００５２】
さらに、本発明は、プログラム不能ハードウェアにおいて具体化される物理デバイスまたはユニットに限定されるものではなく、本出願においては一般的に「コンピュータシステム」として示されている、メインフレーム、ミニコンピュータ、サーバ、ワークステーション、パーソナルコンピュータ、ノートパッド、携帯情報端末、電子ゲーム、自動車および他の組込みシステム、携帯電話、ならびに、さまざまな他の無線デバイスのような、適切なプログラムコードにしたがって操作することによって所望のデバイス機能を実行することが可能なプログラム可能デバイスまたはユニット内に適用されることもできる。
【００５３】
しかしながら、他の修正形態、変更形態および代替形態も可能である。したがって、明細書および図面は限定的な意味においてではなく例示的に考慮されるべきである。
本発明の原理が特定の装置に関連して上記で説明されてきたが、この説明は例示のみを目的として為されており、本発明の範囲に対する限定としてではないことは明瞭に理解されたい。
【図２】
2013539062.tif 000003
【図３】
2013539062.tif 000004
【図４】
2013539062.tif 000005
【図１】
2013539062.tif 000006
【手続補正書】
【提出日】平成25年1月18日(2013.1.18)
【手続補正１】
【補正対象書類名】特許請求の範囲
【補正対象項目名】全文
【補正方法】変更
【補正の内容】
【特許請求の範囲】
【請求項１】
表示制御ユニット（２０）であって、
画素の第１のセット（２６）および第２のセット（２８）を含む入力画像（２４）を示す入力画像データを受信するように接続可能な入力（２２）であって、前記画素の第２のセットは安全関連情報を含む、前記入力（２２）と、
少なくとも前記安全関連情報を含む出力画像（３２）を示す出力画像データを供給するように接続可能な出力（３０）と、
安全モード信号（３６）が第１のモードを示すときに前記画素の第１のセットに対して画像向上処理を実行するように構成される画像向上モジュール（３４）と、
前記安全モード信号が第２のモードを示すときに前記画素の第２のセットに対して検証処理を実行するように構成される検証モジュール（３８）とを備える、表示制御ユニット。
【請求項２】
前記画像向上モジュールは、ノイズ信号を前記画素の第１のセットに適用するように構成される、請求項１に記載の表示制御ユニット。
【請求項３】
前記画像向上モジュールは、前記画素の第１のセットをディザリングするように構成される、請求項１又は２に記載の表示制御ユニット。
【請求項４】
前記画像向上処理は、前記第１のセットの１つまたは複数の画素に少なくとも１つのランダムな値を加算することを含む、請求項１〜３のいずれか一項に記載の表示制御ユニット。
【請求項５】
前記検証モジュールは、前記画素の第２のセットを基準セットと比較するように構成される、請求項１〜４のいずれか一項に記載の表示制御ユニット。
【請求項６】
前記入力画像データは複数の画像層を含み、前記制御ユニットは、前記複数の層から画像を構成する融合モジュール（３３）を備える、請求項１〜５のいずれか一項に記載の表示制御ユニット。
【請求項７】
画像表示システムであって、
前記出力画像データを受信するように接続されるとともに、人間にとって知覚可能な形態において画像を出力するように構成されるディスプレイ（１６）と、
前記入力画像データを提供するように接続される少なくとも１つの画像データソース（１８）と、
請求項１〜６のいずれか一項に記載の表示制御ユニット（２０）とを備える、画像表示システム。
【国際調査報告】
2013539062.tif 000007
2013539062.tif 000008